(57)【要約】      （修正有）【課題】既設ＰＣ舗装の一部をＰＰＲＣ版に置き換えることを容易に短期間で実現できる補修方法を提供する。【解決手段】既設ＰＣ舗装３０の一部をＰＰＲＣ版１に置き換えて補修する。連結機構を介して複数枚の新設ＰＰＲＣ版１同士を連結することで、一枚の大きな剛性平板が形成される。すなわち、目地に係る課題は発生しない。さらに、既設ＰＣ舗装３０のうち補修箇所以外と新設補修箇所との間には、特殊コンクリート床版１０が介挿される。特殊コンクリート床版１０は、既設ＰＣ舗装３０の緊張材３２を有効活用するとともに、新設ＰＰＲＣ版１に連結可能である。これにより、剛性平板は、既設ＰＣ舗装３０と一体となる。【選択図】図８
2020147980.tif 000002
【特許請求の範囲】
【請求項１】
緊張材が配設されプレストレスが導入されている既設コンクリート舗装の補修方法であって、
既設コンクリート舗装の補修相当箇所を特定し、周囲をカッターにより切断し、
前記補修相当箇所の既設コンクリート舗装を撤去し、前記既設コンクリート舗装の残部境界部を斫り、既設緊張材を露出させ、
前記露出させた既設緊張材にカプラを設置し、
前記補修相当箇所のうち、前記既設コンクリート舗装の残部と隣り合う様に、緊張材が挿通可能な特殊コンクリート床版を設置し、
前記特殊コンクリート床版に新設緊張材を挿通し、
前記新設緊張材と既設緊張材とを前記カプラを介して連結し、
前記既設コンクリート舗装の残部と前記特殊コンクリート床版の隙間にコンクリートを打設し、
前記特殊コンクリート床版の開放端面側より、前記新設緊張材を緊張して定着し、新たにプレストレスを導入する
既設コンクリート舗装の補修方法。
【請求項２】
前記特殊コンクリート床版は、開放端面側端部に受け金具を有し、
さらに、緊張材が配設されプレストレスが導入されている、端部に受け金具を有する新設コンクリート床版（第１）を、前記特殊コンクリート床版の受け金具と前記新設コンクリート床版の受け金具とが対向するように、設置し、
前記特殊コンクリート床版の受け金具と前記新設コンクリート床版の受け金具に、コッター式継手を挿入し、
前記特殊コンクリート床版と前記新設コンクリート床版とを連結するともに、連結部にプレストレスを導入する
請求項１記載の既設コンクリート舗装の補修方法。
【請求項３】
さらに、緊張材が配設されプレストレスが導入されている、端部に受け金具を有する第２新設コンクリート床版を、前記第１新設コンクリート床版の受け金具と前記第２新設コンクリート床版の受け金具とが対向するように、設置し、
前記第１新設コンクリート床版の受け金具と前記第２新設コンクリートの受け金具に、コッター式継手を挿入し、
前記第１新設コンクリート床版と前記第２新設コンクリート床版とを連結するともに、連結部にプレストレスを導入する
請求項２記載の既設コンクリート舗装の補修方法。
【請求項４】
請求項３記載の既設コンクリート舗装の補修方法による補修後、第N新設コンクリートの設置と連結とを繰り返し、第１補修エリアを補修する第１補修工程と、
前記第１補修エリアと隣接する第２補修エリアを補修する第２補修工程と、
を備え、
前記第２補修工程では、前記第１補修工程で用いた前記特殊コンクリート床版の連結を解除して、転用する
既設コンクリート舗装の補修方法。
【請求項５】
前記特殊コンクリート床版の受け金具は、新設緊張材を定着するための定着具機能を有し、
前記新設コンクリート床版の受け金具は、前記新設コンクリート床版の緊張材を定着するための定着具機能を有する
請求項２記載の既設コンクリート舗装の補修方法。
【請求項６】
緊張材が挿通可能なコンクリート床版であって、
一端面側のみに受け金具を有し、
前記受け金具は、
前記緊張材を定着するための定着具機能と、
隣合うコンクリート床版と連結する継手を受ける継手受具機能と
を有するコンクリート床版。
【請求項７】
緊張材が配設されプレストレスが導入されている既設コンクリート舗装の補修方法であって、
既設コンクリート舗装の補修相当箇所を特定し、周囲をカッターにより切断し、
前記補修相当箇所の既設コンクリート舗装を撤去し、前記既設コンクリート舗装の残部境界部を斫り、既設緊張材を露出させ、
前記露出させた既設緊張材にカプラを設置し、
前記補修相当箇所のうち、前記既設コンクリート舗装の残部と隣り合う様に、緊張材が挿通可能な特殊コンクリート床版を仮置きし、
前記特殊コンクリート床版に新設緊張材を挿通し、
前記新設緊張材と既設緊張材とを前記カプラを介して連結し、
前記カプラが前記特殊コンクリート床版に内挿されるように、前記特殊コンクリートを前記既設コンクリート舗装の残部側に移動して設置し、
前記既設コンクリート舗装の残部と前記特殊コンクリート床版の間の目地処理をおこない、
前記特殊コンクリート床版の開放端面側より、前記新設緊張材を緊張して定着し、新たにプレストレスを導入する
既設コンクリート舗装の補修方法。
【発明の詳細な説明】
【技術分野】
【０００１】
本発明は、緊張材が配設されプレストレスが導入されている既設コンクリート舗装の補修方法に関し、特にコンクリート床版により置き換える補修方法に関する。
【背景技術】
【０００２】
舗装にはアスファルト舗装とコンクリート舗装がある。空港や港湾の舗装、道路のうち交差点の舗装など耐久性が求められる場合、コンクリート舗装が用いられる。コンクリート舗装には、現場打ちコンクリートによるものとコンクリート床版を敷設するものとがある。コンクリート床版は工場にて製作可能である。急速施工や品質保持の観点では、コンクリート床版が有利である。
【０００３】
コンクリート床版に荷重が作用すると、コンクリートに引張応力が作用し、クラック発生の原因となる。これに対し緊張材が配設されたコンクリート床版では、プレストレスを導入することによりクラック発生を抑制できる（特許文献１）。その結果、コンクリート床版の鉄筋量を減らしたり、コンクリート床版を薄くしたりできる。なお、緊張材を定着するために、原則として定着具機能が必要である。なお、プレストレスが導入されているコンクリート床版をプレキャストプレストレストRC床版（PPRC版）と呼ぶ。
【０００４】
ところで、コンクリート床版による舗装では、コンクリート床版同士の連結箇所に課題が発生することが多い。例えば、目地が開き目地から水が路盤へ浸透し、路盤が大量の水を含んだ状態で、大きな荷重が繰り返し作用すると、ポンピング現象により、路盤の細粒分が流出し、舗装下に空洞が生じる。コンクリート床版は支持力を失い、破損の原因となる。また、目地付近におけるコンクリート床版の微小変形が騒音の一因となるおそれもある。
【０００５】
これに対し、特殊な継手により、コンクリート床版同士を連結する機構が提案されている（特許文献２）。例えば、コッター式継手では、継手側面および受け金具内壁面にテーパを設け、継手を受け金具に挿入し固定することにより、連結箇所にプレストレスが導入される。この結果、コンクリート床版同士は確実に連結される。
【先行技術文献】
【特許文献】
【０００６】
【特許文献１】特開２００４−２２４６３３号公報
【特許文献２】特開２００１−２１４６９４号公報
【発明の概要】
【発明が解決しようとする課題】
【０００７】
ところで、既存の空港や港湾の舗装には、場所打ちのコンクリート舗装（すなわち床版ではない）であって、当該コンクリート舗装にプレストレスが導入されているものがある。これをPC舗装と呼ぶ。これらは老朽化が進み、適宜補修が必要である。
【０００８】
新規施工に比べ、補修工事は、現在の空港や港湾の運用を維持しながらの作業となるため、施工エリア、施工期間や使用可能な重機等の施工条件が厳しい。上述のように、コンクリート床版はこのような施工条件が厳しい場合にも適用可能である。
【０００９】
しかしながら、プレストレスが導入されているコンクリート床版（PPRC版）や、コンクリート床版の連結機構が先行技術として開示されているとしても、これらを如何に組み合わせるか、さらに、補修箇所以外の既設PC舗装をどのように有効活用するのか、特に、補修箇所以外の既設PC舗装と新設補修箇所の取り合いを如何にするのか、具体的な工法は定まっていない。なお、PPRC版同士の連結ではタイバーによる連結が一般的である。
【００１０】
したがって、既設PC舗装の補修箇所にPPRC版を用いるアイデアは想起可能ではあるが、実施工においては試行錯誤を繰り返している。その結果、PPRC版の長所を生かし切れていない。言い換えると、着想のきっかけはあったが、具現化できていなかった。
【００１１】
本発明は上記課題を解決するものであり、既設PC舗装の一部をPPRCに置き換える補修方法であって、容易に短期間で実現できる補修方法を提案することを目的とする。
【課題を解決するための手段】
【００１２】
上記課題を解決する本発明は、緊張材が配設されプレストレスが導入されている既設コンクリート舗装の補修方法である。既設コンクリート舗装の補修相当箇所を特定し、周囲をカッターにより切断し、前記補修相当箇所の既設コンクリート舗装を撤去し、前記既設コンクリート舗装の残部境界部を斫り、既設緊張材を露出させ、前記露出させた既設緊張材にカプラを設置し、前記補修相当箇所のうち、前記既設コンクリート舗装の残部と隣り合う様に、緊張材が挿通可能な特殊コンクリート床版を設置し、前記特殊コンクリート床版に新設緊張材を挿通し、前記新設緊張材と既設緊張材とを前記カプラを介して連結し、前記既設コンクリート舗装の残部と前記特殊コンクリート床版の隙間にコンクリートを打設し、前記特殊コンクリート床版の開放端面側より、前記新設緊張材を緊張して定着し、新たにプレストレスを導入する。
【００１３】
既設コンクリート舗装と特殊コンクリート床版とがプレストレスが導入された状態で連結されることにより、特殊コンクリート床版の金具を介して新設コンクリート床版と連結可能となる。
【００１４】
上記発明において好ましくは、前記特殊コンクリート床版は、開放端面側端部に受け金具を有し、さらに、緊張材が配設されプレストレスが導入されている、端部に受け金具を有する新設コンクリート床版（第１）を、前記特殊コンクリート床版の受け金具と前記新設コンクリート床版の受け金具とが対向するように、設置し、前記特殊コンクリート床版の受け金具と前記新設コンクリート床版の受け金具に、コッター式継手を挿入し、前記特殊コンクリート床版と前記新設コンクリート床版とを連結するともに、連結部にプレストレスを導入する。
【００１５】
特殊コンクリート床版は既設コンクリート舗装とプレストレスが導入された状態で連結されるとともに、新設コンクリート床版ともプレストレスが導入された状態で連結される。言い換えると、特殊コンクリート床版を介して、既設コンクリート舗装と新設コンクリート床版とがプレストレスが導入された状態で連結可能となる。
【００１６】
上記発明において好ましくは、さらに、緊張材が配設されプレストレスが導入されている、端部に受け金具を有する第２新設コンクリート床版を、前記第１新設コンクリート床版の受け金具と前記第２新設コンクリート床版の受け金具とが対向するように、設置し、前記第１新設コンクリート床版の受け金具と前記第２新設コンクリートの受け金具に、コッター式継手を挿入し、前記第１新設コンクリート床版と前記第２新設コンクリート床版とを連結するともに、連結部にプレストレスを導入する。
【００１７】
これにより、プレストレスが導入された状態で新設コンクリート床版同士の連結ができる。新設コンクリート床版同士の連結を繰り返すことにより、補修相当箇所全面の補修が可能となる。
【００１８】
新設コンクリート床版同士の連結構造体は一枚の大きな剛性平板として機能する。さらに、連結構造体は、特殊コンクリート床版を介して、既設緊張材を有効活用しながら、既設コンクリート舗装に連結される。つまり、連結構造体は既設コンクリート舗装と一体となる。
【００１９】
特殊コンクリート床版の設置、緊張材連結、緊張をおこなった後は、新設コンクリート床版の設置と、床版連結との繰り返しであり、比較的単純な工程である。既設コンクリート舗装の一部を新設コンクリート床版に置き換えることを容易に短期間で実現できる。
【００２０】
なお、施工実務の観点からは、補修相当箇所を第１半面と第２半面に分割し、第１半面および第２半面において上記補修をおこない、第１半面と第２半面との間に調整版を挿入する。
【００２１】
上記発明において好ましくは、第N新設コンクリートの設置と連結とを繰り返し、第１補修エリアを補修する第１補修工程と、前記第１補修エリアと隣接する第２補修エリアを補修する第２補修工程と、を備え、前記第２補修工程では、前記第１補修工程で用いた前記特殊コンクリート床版の連結を解除して、転用する。
【００２２】
本補修方法は、拡張容易である。特殊コンクリート床版を転用することで、製作コストや搬入コストを抑制できるとともに、さらに容易に短期間で補修できる。
【００２３】
上記発明において好ましくは、前記特殊コンクリート床版の受け金具は、新設緊張材を定着するための定着具機能を有する。前記新設コンクリート床版の受け金具は、前記新設コンクリート床版の緊張材を定着するための定着具機能を有する。
【００２４】
これにより共通金具とすることで、部材数を減らすことができる。
【００２５】
上記課題を解決する本発明のコンクリート床版は緊張材が挿通可能である。コンクリート床版の一端面側のみに受け金具を有する。前記受け金具は、前記緊張材を定着するための定着具機能と、隣合うコンクリート床版と連結する継手を受ける継手受具機能とを有する。
【００２６】
特殊コンクリート床版は既設コンクリート舗装とプレストレスが導入された状態で連結されるとともに、新設コンクリート床版ともプレストレスが導入された状態で連結される。
【００２７】
上記課題を解決する本発明は、緊張材が配設されプレストレスが導入されている既設コンクリート舗装の補修方法である。既設コンクリート舗装の補修相当箇所を特定し、周囲をカッターにより切断し、前記補修相当箇所の既設コンクリート舗装を撤去し、前記既設コンクリート舗装の残部境界部を斫り、既設緊張材を露出させ、前記露出させた既設緊張材にカプラを設置し、前記補修相当箇所のうち、前記既設コンクリート舗装の残部と隣り合う様に、緊張材が挿通可能な特殊コンクリート床版を仮置きし、前記特殊コンクリート床版に新設緊張材を挿通し、前記新設緊張材と既設緊張材とを前記カプラを介して連結し、前記カプラが前記特殊コンクリート床版に内挿されるように、前記特殊コンクリートを前記既設コンクリート舗装の残部側に移動して設置し、前記既設コンクリート舗装の残部と前記特殊コンクリート床版の間の目地処理をおこない、前記特殊コンクリート床版の開放端面側より、前記新設緊張材を緊張して定着し、新たにプレストレスを導入する。
【発明の効果】
【００２８】
本発明の補修方法によれば、既設PC舗装の一部をPPRC版に置き換えることを容易に短期間で実現できる。
【図面の簡単な説明】
【００２９】
【図１】コンクリート床版の概略図
【図２】コンクリート床版の配筋図
【図３】連結構造体の概略図
【図４】連結機構の概略構成図
【図５】連結機構（コッター式継手）の動作説明図
【図６】特殊コンクリート床版の概略構成図
【図７】補修方法（特殊コンクリート床版連結）の施工フロー図
【図８】補修方法の施工イメージ図
【図９】補修方法（新設コンクリート床版連結）の施工フロー図
【図１０】補修方法（第１補修エリア）の施工フロー図
【図１１】補修方法（第２補修エリア拡張）の施工フロー図
【図１２】補修方法（第２補修エリア拡張）の施工フロー図
【図１３】補修方法（第２補修エリア拡張）の施工フロー図
【図１４】変形例に係る補修方法の施工イメージ図
【図１５】変形例に係る補修方法の施工詳細図
【発明を実施するための形態】
【００３０】
〜概要〜
既設PC舗装３０の一部をPPRC版１に置き換えて補修する。連結機構５を介して複数枚の新設PPRC版１同士を連結することで、一枚の大きな剛性平板２０が形成される。すなわち、目地に係る課題は発生しない。
【００３１】
既設PC舗装３０のうち補修箇所以外と新設補修箇所との間には、特殊コンクリート床版１０が介挿される。特殊コンクリート床版１０は、既設PC舗装３０の緊張材３２を有効活用するとともに、新設PPRC版１に連結可能である。これにより、剛性平板２０は、既設PC舗装３０と一体となる。
【００３２】
本願補修方法は、拡張性が高い。補修対象エリアが広大であれば、複数の補修エリアに分割する。第１補修エリア施工完了後、第１補修エリアを開放し、第１補修エリアと隣接する第２補修エリアを補修する。短期施工を繰り返すことにより、全面補修が可能となる。
【００３３】
〜新設PPRC版〜
図１はコンクリート床版１の概略斜視図である。図２はコンクリート床版１の配筋図である。空港の駐機場、誘導路や港湾施設といった、比較的広い場所に用いられる場合、例えば、横幅が約２４００ミリ、縦幅が１５０００ミリ、厚さ２４０ミリの平板である。道路用の場合、例えば、横幅が約１７５０ミリ、縦幅が５０００ミリ、厚さ１８０ミリの平板である。コンクリート床版１は、航空機や港湾荷役用重機等の通行を可能にするように、２０〜６０Ｎ(ニュートン)／ｃｍ２の強度を有する。剛性を高めるため、鉄筋が挿入されている。
【００３４】
さらに緊張材２を介してプレストレスが導入されている。すなわち、コンクリート床版１は、プレキャストプレストレストRC床版（PPRC版）である。緊張材２は一般に鋼材が用いられるが、FRP等代替品を用いてもよい。緊張材２は床版長手方向および床版短手方向に配設され、ともにプレストレスが導入されていてもよい。プレストレス導入も工場にて行われるため、施工性が高い。
【００３５】
コンクリート床版１の端部（四辺）には、複数の金具３が設けられている。図示の例では、長辺方向２０カ所、短辺方向３カ所、合計４６箇所において金具３が埋設されている。金具３，３の間にて、緊張材２にはプレストレスが導入されている。金具３の定着具機能については別途後述する。
【００３６】
〜連結機構〜
【００３７】
図３は連結構造体２０の概略斜視図である。コンクリート舗装版１，１が配設された状態にて、金具３，３が対向する。金具３，３と継手４とは連結機構５を構成する。
【００３８】
連結機構５を介して、隣り合うコンクリート床版１、１同士が確実かつ強固に連結され、連結構造体２０が形成される。連結構造体２０は一枚の大きな剛性平板として機能する。
【００３９】
図４は連結機構５の概略構成図である。図４Aは斜視図であり、図４Bは平面図であり、図４Cは断面図である。
【００４０】
本願金具３は、定着具機能と継手受具機能とを有することを特徴とする。図示の例では、金具３は略直方体状であり、平面開口部と、４つの側面部と、底面部とを有する。
【００４１】
まず、定着具機能について説明する。
【００４２】
金具３の側面部の一つには、緊張材２が定着している。当該側面部には孔が設けられ、緊張材２は当該孔を挿通する。緊張材２端部には定着具６が設けられ、プレストレス導入により定着具６が金具３の当該側面部に係止する。これにより、プレストレスが維持される。
【００４３】
定着構造として、撚線を楔でとめてもよいし、ネジきりした鋼棒に定着ナットを螺合させてもよい。
【００４４】
次いで、継手受具機能について説明する。
【００４５】
金具３，３が対向する側面部には、上下方向にスリットが設けられている。スリットを介して金具３，３の平面開口部が連続し、連続する空間が形成される。継手４は当該空間に挿入される。
【００４６】
継手４は当該空間に対応して平面視ダンベル形状を有する。すなわち、二つの継手端部とこれを連結する継手連結部を有する。スリットに相当する空間には継手連結部が挿入される。継手端部は対向する側面部に係止される。
【００４７】
継手４の２つの継手端部および金具３の底面部にはボルト穴が設けられている。ボルト穴にボルトを螺合させることにより、継手４は金具３，３内に固定され、連結機構５が形成される。
【００４８】
さらに、金具３，３上面開口には蓋を装着して連結機構５を被蔽する。
【００４９】
金具３，３の間には適切な間隔で目地が設けられている。グラウト注入により目地を形成してもよいし、樹脂製の目地材を介挿してもよい。
【００５０】
〜コッター式継手〜
継手をコッター式継手としてもよい。図５はコッター式継手の例である。図５Aはコッター式継手４挿入前の状態を示し、図５Bはコッター式継手４挿入およびボルトによる螺合後の状態を示す。
【００５１】
コッター式継手４は、二つの継手端部に上から下に向かう方向に互いに離れるようなテーパが形成されている。対向するテーパは雌の楔状を形成する。金具３，３の側面部内壁にも、上から下に向かう方向に互いに離れるようなテーパが設けられている。対向するテーパは雄の楔状を形成する。雌の楔状と雄の楔状とが対応している。
【００５２】
コッター式継手４を金具３，３に挿入すると、雄の楔状が雌の楔状に食い込む。これにより金具３，３間には互いに引き合うようなプレストレスが導入される。さらに、ボルトが螺合されているため、楔が抜けることはない。強固な連結機構５が形成される。
【００５３】
〜新設PPRC版の効果〜
連結機構５を介して複数枚の新設PPRC版１同士を連結することで、一枚の大きな剛性平板２０が形成される。すなわち、目地に係る課題は発生しない。
【００５４】
本願金具３は、定着具機能と継手受具機能とを有することを特徴とする。共通金具とすることで、部材数を減らすことができる。構成が簡素となり、経済的である。
【００５５】
緊張材２は、金具３のアンカーとして機能する。連結機構５に力が作用する場合、その反力は緊張材２に伝達され、さらにコンクリート全体に伝達される。これにより、応力集中によるひび割れを抑制できる。
【００５６】
金具３のアンカーが不要となることで、金具３の製作コストが削減されるとともに、施工性が向上する。
【００５７】
〜特殊コンクリート床版〜
上述の通り、新設PPRC版１および連結構造体２０は優れた効果を有する。しかしながら、これらは、新設施工および既設連結構造体の補修を前提とするものであり、そのままでは、既設PC舗装の補修に適用できない。そこで、特殊コンクリート床版１０を開発し、既設PC舗装３０のうち補修箇所以外と新設補修箇所との間に、特殊コンクリート床版１０を介挿する。
【００５８】
図６は、特殊コンクリート床版１０の概略構成図である。特殊コンクリート床版１０は新設PPRC版１を改良したものであり、金具３等近似した構成を有する。相違点について説明する。
【００５９】
新設PPRC版１では、短手方向において両端面に金具３，３が対向するように設けられているのに対し、特殊コンクリート床版１０では、短手方向において一端面側のみに金具３が設けられている。
【００６０】
なお「一端面側のみ」とは長手方向において対向するように両端面に設けられた金具３，３を除くものではない。
【００６１】
新設PPRC版１では、短手方向の金具３，３の間にて、緊張材２にはプレストレスが導入されているのに対し、特殊コンクリート床版１０では、緊張材１２の一端に定着具６が設けられは金具３内に配置されている（図４類似）が、緊張材１２はシース１１内を挿通し、緊張材１２の他端はシース１１から飛び出す様に延設されている。すなわち、特殊コンクリート床版１０単体においては、緊張材１２にはプレストレスが導入されていない。
【００６２】
なお、特殊コンクリート床版１０は、既設PC舗装３０と新設PPRC版１との中間的な性格を持つため、図７〜１３においてハイブリッドPPRC版１０と記載することもある。
【００６３】
シース１１から飛びしている緊張材１２の他端は、カプラ３３を介して既設PC舗装３０の既設緊張材３２と連結される（図７参照）。連結された緊張材１２は金具３側から緊張され、定着具６を介して金具３の側面部に緊張材２一端が定着する（図７参照）。これにより、特殊コンクリート床版１０にもプレストレスが導入される。
【００６４】
〜補修方法〜
新設PPRC版１および特殊コンクリート床版１０を用いた既設PC舗装３０の補修方法について説明する。
【００６５】
図７は、特殊コンクリート床版１０連結までの施工フロー図である。図８は施工イメージ図である。
【００６６】
事前準備として、既設PC舗装３０のうち補修相当箇所を特定する。図示左右の境界においてコンクリートを斫り、既設の緊張材を露出させ、緊張材にデッドアンカーを取り付け、当該箇所に埋戻し用のコンクリートを打設する。その後、補修相当箇所をカッターにより切断する（ステップ１）。
【００６７】
補修相当箇所の既設PC舗装３０を撤去し、撤去箇所の路盤を整正する（ステップ２）。既設PC舗装３０の残部境界部を斫り、既設緊張材３２を露出させ、露出させた既設緊張材３２にカプラ３３を設置する（ステップ３）。
【００６８】
既設PC舗装３０の残部境界部と隣り合う様に特殊コンクリート床版１０を設置する（ステップ４）。特殊コンクリート床版１０にはあらかじめ緊張材１２が挿通されているが、特殊コンクリート床版１０設置後に緊張材１２を挿通してもよい（ステップ５）。カプラ３３を介して新設緊張材１２と既設緊張材３２とを連結する（ステップ６）。
【００６９】
既設PC舗装３０の残部境界部と特殊コンクリート床版１０の隙間にコンクリートを打設する（ステップ７）。例えば、超速硬コンクリートを用いれば、材齢３時間で２４N／ｍｍ２の圧縮強度を期待できる。
【００７０】
特殊コンクリート床版１０の金具３側（開放端面側）から緊張材１２を緊張する。所定量緊張させ、緊張材１２を定着させ、新たにプレストレスを導入する（ステップ８）。
【００７１】
図９は、新設コンクリート床版１を次々と連結させる施工フロー図である。
【００７２】
ステップ１〜８の処理により、特殊コンクリート床版１０は既設PC舗装３０残部に連結している（ステップ８）。
【００７３】
特殊コンクリート床版１０の開放端面側では金具３が配設されている。特殊コンクリート床版１０の金具３は、新設PPRC版１の金具３と対向することにより、継手４を受け入れ可能となる。
【００７４】
特殊コンクリート床版１０の金具３と新設コンクリート床版１の金具３とが対向するように、新設コンクリート床版１（図示A）を設置する（ステップ９）。対向する金具３，３に継手４を挿入し、継手４と金具３，３を固定する。これにより、特殊コンクリート床版１０と新設コンクリート床版１（図示A）とが確実に連結されるともに、連結機構５にもプレストレスが導入される（ステップ１０）。なお、床版連結は、次の床版設置と並行して行ってもよいし、全ての床版を設置後、まとめて連結してもよい。
【００７５】
さらに、新設コンクリート床版１（図示A）の金具３と新設コンクリート床版１（図示B）の金具３とが対向するように、新設コンクリート床版１（図示B）を設置する（ステップ１１）。対向する金具３，３に継手４を挿入し、継手４と金具３，３を固定する。これにより、新設コンクリート床版１（図示A）と新設コンクリート床版１（図示B）とが確実に連結されるともに、連結機構５にもプレストレスが導入される（ステップ１２）。
【００７６】
図示の例では、２枚の新設コンクリート床版１の設置と連結をしているが、補修エリアの大きさに合せて新設コンクリート床版１の設置と連結をN枚繰り返せばよい。
【００７７】
図１０は、一つの補修エリア（第１補修エリア）における補修完了までの施工フロー図である。
【００７８】
補修エリアを第１半面と第２半面に分ける。第１半面において、ステップ２〜１２の工程をおこなう（ステップ１２）。
【００７９】
第２半面においても、補修相当箇所の既設PC舗装３０を撤去すると、既設PC舗装３０の残部境界部が形成される。ステップ２〜１２の工程に基づき、特殊コンクリート床版１０の設置および緊張材連結、緊張材緊張、新設コンクリート床版１の設置と連結をおこなう（ステップ１３）。
【００８０】
図示の例では、説明の便宜のため、第１半面補修完了後に第２半面補修に着手しているが、第１半面補修と第２半面補修とを平行しておこなってもよい。
【００８１】
第１半面と第２半面の間には、隙間が形成される。当該隙間寸法に相当する調整版（PPRC版）を当該隙間に設置し、隣り合う新設コンクリート床版１と連結する（ステップ１４）。これにより、補修エリアの全面補修が完了する。
【００８２】
なお、調整版（PPRC版）は寸法以外、新設コンクリート床版１と同様である。寸法が同じ場合は、新設コンクリート床版１を用いてもよい。
【００８３】
上記補修方法による効果について説明する。
【００８４】
上記補修方法で述べたように、現場施工において、比較的手間を要する工程は、新設緊張材１２と既設緊張材３２との連結（ステップ６）、間詰めコンクリート打設（ステップ７）と、緊張材１２緊張（ステップ８）のみである。
【００８５】
間詰めコンクリート打設において、打設量が少量であること、超速硬コンクリートによれば養生時間は数時間であることを考慮すれば、ステップ１〜８までの所要時間は５時間程度と想定される。
【００８６】
ステップ８以降（ステップ９〜１４）の工程は、新設コンクリート床版１の設置と、床版連結との繰り返しであり、比較的単純な工程である。例えば、図１０のように５枚の新設コンクリート床版１の設置および連結の所要時間は２時間程度と想定される。
【００８７】
準備及び片付けを含めて全所要時間は８時間程度と想定され、一回の夜間規制のみで翌朝開放できる。このように、上記補修方法では、既設PC舗装の一部をPPRC版に置き換えることを容易に短期間で実現できる。
【００８８】
〜補修エリア拡張〜
本願補修方法は、拡張性が高い。補修対象エリアが広大であれば、複数の補修エリアに分割し、空港や港湾の運用状況を見ながら、例えば休日夜間などに、各補修エリアごとに短期施工を繰り返すことにより、全面補修が可能となる。
【００８９】
第１補修エリア施工完了後、第１補修エリアを開放し、第１補修エリアと隣接する第２補修エリアを補修する例について説明する。
【００９０】
図１１〜１３は、補修エリア拡張に係る施工フロー図である。
【００９１】
空港や港湾の運用状況を見ながら、閉鎖できる期間を推定し、優先して補修すべき箇所を考慮して、補修エリア（第１補修エリア）の範囲を設定する（ステップ１０１）。
【００９２】
ステップ１〜１４の処理により、第１補修エリア施工を完了し、第１補修エリアを開放する（ステップ１０２）。
【００９３】
空港や港湾の運用状況を見ながら、閉鎖できる期間を推定し、補修エリア（第２補修エリア）の範囲を設定する（ステップ１０３）。第２補修エリアは特殊コンクリート床版１０を介して第１補修エリアと隣接している。
【００９４】
補修相当箇所をカッターにより切断するとともに、第１補修エリアで用いた特殊コンクリート床版１０の連結を解除する（ステップ１０４）。
【００９５】
第２補修エリアでも、補修相当箇所の既設PC舗装３０を撤去すると、既設PC舗装３０の残部境界部が形成される。ステップ３〜１２の工程に基づき、第１補修エリアで用いた特殊コンクリート床版１０を転用し、既設PC舗装３０の残部境界部と隣り合う様に設置し、緊張材を連結し、緊張材を緊張する（ステップ１０５）。
【００９６】
特殊コンクリート床版１０の開放端面側では金具３が配設されている。ステップ９〜１０の工程に基づき、新設コンクリート床版１を設置し、連結する（ステップ１０６）。
【００９７】
一方で、第１補修エリアで用いた特殊コンクリート床版１０が移設されると、連結対象であった新設コンクリート床版１は継手４を受け入れ可能となる。ステップ１１〜１２の工程に基づき、新設コンクリート床版１を設置し、連結する（ステップ１０７）。
【００９８】
以降、ステップ１１〜１２の工程に基づき、新設コンクリート床版１を所定枚数設置し、連結する。ステップ１３に基づき、調整版（PPRC版）を隙間に設置し、隣り合う新設コンクリート床版１と連結する。これにより、第２補修エリアの全面補修が完了する（ステップ１０８）。
【００９９】
上記拡張方法による効果について説明する。
【０１００】
上記拡張方法で述べたように、空港や港湾の運用状況に応じた柔軟な施工計画が可能である。空港や港湾の規制可能時間が短い（例えば一夜間）場合は、比較的小さな補修エリアを特定する。空港や港湾の規制可能時間が長い（例えば数日）場合は、比較的大きな補修エリアを特定する。順々に拡張することにより全面補修が可能となる。
【０１０１】
特殊コンクリート床版１０を転用することで、製作コストや搬入コストを抑制できるとともに、さらに容易に短期間で補修できる。
【０１０２】
〜変形例〜
【０１０３】
上記補修方法では、間詰めコンクリート打設（ステップ７）が比較的手間を要する工程であった。変形例においては、間詰めコンクリート打設（ステップ７）を省略する。以下詳述する。
【０１０４】
補修相当箇所をカッターにより切断し、既設PC舗装３０を撤去し、既設PC舗装３０の残部境界部を斫り、既設緊張材３２を露出させ、露出させた既設緊張材３２にカプラ３３を設置する（ステップ１→２→３）工程については共通である。
【０１０５】
図１４は変形例に係る施工イメージ図である。図１５は変形例に係る施工詳細図（断面図）である。
【０１０６】
既設PC舗装３０の残部境界部と隣り合う様に特殊コンクリート床版１０を仮置きする（ステップ４Ａ）。具体的には本設置に備え、吊状態を維持する。安全のため治具を噛ませ、治具上に仮置きする。
【０１０７】
特殊コンクリート床版１０にはあらかじめ緊張材１２が挿通されているが、特殊コンクリート床版１０仮置き後に緊張材１２を挿通してもよい（ステップ５）。カプラ３３を介して新設緊張材１２と既設緊張材３２とを連結する（ステップ６）。
【０１０８】
特殊コンクリート床版１０内のシースは、カプラ３３を内包可能な寸法を有する。
【０１０９】
連結された新設緊張材１２を引っ張りながら、特殊コンクリート１０を既設コンクリート舗装３０の残部側に移動して本設置する。このとき噛ませた治具を撤去する。既設PC舗装３０の残部境界部と特殊コンクリート床版１０の間を目地相当距離（１０ｍｍ程度）とする（ステップ７Ａ１）。カプラ３３は特殊コンクリート床版１０のシースに内挿される。
【０１１０】
超速硬グラウトや樹脂製目地版等により、既設PC舗装３０の残部境界部と特殊コンクリート床版１０の間の目地処理をおこなう（ステップ７Ａ２）。
【０１１１】
特殊コンクリート床版１０の金具３側（開放端面側）から緊張材１２を緊張する。所定量緊張させ、緊張材１２を定着させ、新たにプレストレスを導入する（ステップ８）。
【０１１２】
変形例に係る補修方法では、間詰めコンクリート打設を省略できることにより、更なる短期施工が可能となる。
【符号の説明】
【０１１３】
１  コンクリート床版
２  緊張材
３  金具（継手受金具）
４  継手
５  連結機構
６  定着具
１０  特殊コンクリート床版
１１  シース
１２  緊張材
２０  連結構造体
３０  既設PC舗装
３２  緊張材
３３  カプラ
【図１】
2020147980.tif 000003
【図２】
2020147980.tif 000004
【図３】
2020147980.tif 000005
【図４】
2020147980.tif 000006
【図５】
2020147980.tif 000007
【図６】
2020147980.tif 000008
【図７】
2020147980.tif 000009
【図８】
2020147980.tif 000010
【図９】
2020147980.tif 000011
【図１０】
2020147980.tif 000012
【図１１】
2020147980.tif 000013
【図１２】
2020147980.tif 000014
【図１３】
2020147980.tif 000015
【図１４】
2020147980.tif 000016
【図１５】
2020147980.tif 000017